(57)【要約】      （修正有）【課題】一致性を向上させて、製品の体積を小さくした、気象ステーションを提供する。【解決手段】気象ステーション本体１００及び雨量蓋２００を含み、気象ステーション本体の最上部にはカメラ１１０と雨量センサー１２０が設置されており、雨量蓋は気象ステーション本体の最上部に蓋をするように設置されて且つカメラと雨量センサーを収容し、雨量蓋の最上部のカメラに対応する位置には透視部２０１が設けられている。雨量モニタリング及び空中雲層位置の観測を実現するとともに、製品の防水密封性能を保障して、雨が気象ステーション本体内に滲入することでその内部電気回路がショートを起こして気象モニタリング機能の失効を引き起こす問題を避けて、部品の使用寿命を伸ばした。【選択図】図２
0003232884.tif 000002
【実用新案登録請求の範囲】
【請求項１】
最上部にカメラと雨量センサーが設置されている気象ステーション本体と、
前記気象ステーション本体の最上部に蓋をするように設置されて、且つ前記カメラと雨量センサーを収容する雨量蓋であって、最上部の前記カメラに対応する位置には透視部が設けられている雨量蓋と、
を含むことを特徴とする気象ステーション。
【請求項２】
前記雨量蓋の最上部の前記カメラに対応する位置には透視窓が設けられて、前記透視部は前記透視窓に閉じるように蓋をするガラス板である、
ことを特徴とする請求項１に記載の気象ステーション。
【請求項３】
前記ガラス板と前記雨量蓋とはシールにより密封接続されている、
ことを特徴とする請求項２に記載の気象ステーション。
【請求項４】
前記シールはＵＶゲル又はプラスチックリングである、
ことを特徴とする請求項３に記載の気象ステーション。
【請求項５】
前記雨量蓋上の透視部以外の位置には光反射コーティングが塗布されている、
ことを特徴とする請求項１に記載の気象ステーション。
【請求項６】
前記気象ステーションはさらに、
前記カメラと接続されて且つ前記カメラで収集した画像に基づいて雲の位置を表す検知電気信号を出力するためのコントローラーを含む、
ことを特徴とする請求項１に記載の気象ステーション。
【請求項７】
前記気象ステーションはさらに、
前記コントローラーと接続されているスピーカーを含み、
前記コントローラーはさらに、前記カメラで収集した画像に基づいて前記雨量蓋上に動物が存在すると確認した時に、追い払う音声信号を発するように前記スピーカーを制御する、
ことを特徴とする請求項６に記載の気象ステーション。
【請求項８】
前記雨量センサーは圧電センサーであり、前記圧電センサーは複数あり、複数の前記圧電センサーは前記雨量蓋の内壁にくっつくように取り付けられてかつその周方向に均一に分布している、
ことを特徴とする請求項１に記載の気象ステーション。
【請求項９】
前記気象ステーションはさらに複数の風速風向センサーを含み、前記気象ステーション本体から複数の柱体が伸びるように設置されており、複数の前記風速風向センサーは一対一で複数の前記柱体内に取り付けられており、
前記風速風向センサーは風速信号と風向信号を検知するためのものである、
ことを特徴とする請求項１〜８の何れか一項に記載の気象ステーション。
【請求項１０】
前記風速風向センサーは超音波風向風速計である、
ことを特徴とする請求項９に記載の気象ステーション。
【考案の詳細な説明】
【技術分野】
【０００１】
本考案は気象モニタリングの技術分野に関し、特に気象ステーションに関する。
【背景技術】
【０００２】
現代の農業などでは、生産活動を行う場合、地元の気象情報データを組み合わせなければ、科学的に、安全に、効率よく展開することが不可能である。なお、人々の生活や旅行にとっても、地元の気象データを知る必要がある。このため、科学技術レベルの絶え間ない向上に伴い、温度、湿度、風速、風向、雨量、気圧、光合成放射、蒸発、土壌温度、土壌湿度などのいろいろな気象パラメータをリアルタイムにモニタリングできる様々な気象ステーションが機運に乗じて現れて、気象モニタリングは人々の生活と生産に極めて重要な役割を果たしている。
【０００３】
しかしながら、従来の気象ステーションによれば、空中の雲層位置を観測するカメラは通常では、気象ステーションの本体と独立して設置されており、全体としての一致性が比較的悪く、気象ステーション全体の体積が比較的大きい。
【考案の概要】
【考案が解決しようとする課題】
【０００４】
本考案の主な目的は、気象ステーションの全体としての一致性を向上させて、製品の体積を小さくするための気象ステーションを提案することにある。
【課題を解決するための手段】
【０００５】
上記目的を達成するために、本考案は気象ステーションを提案し、前記気象ステーションは、
最上部にカメラと雨量センサーが設置されている気象ステーション本体と、
前記気象ステーション本体の最上部に蓋をするように設置されて、且つ前記カメラと雨量センサーを収容する雨量蓋であって、最上部の前記カメラに対応する位置には透視部が設けられている雨量蓋とを含む。
【０００６】
一実施例において、前記雨量蓋の最上部の前記カメラに対応する位置には透視窓が設けられて、前記透視部は前記透視窓に閉じるように蓋をするガラス板である。
【０００７】
一つの実施例において、前記ガラス板と前記雨量蓋とはシールにより密封接続されている。
【０００８】
一実施例において、前記シールはＵＶゲル又はプラスチックリングである。
【０００９】
一実施例において、前記雨量蓋上の透視部以外の位置には光反射コーティングが塗布されている。
【００１０】
一実施例において、前記気象ステーションはさらに、
前記カメラと接続されて且つ前記カメラで収集した画像に基づいて雲の位置を表す検知電気信号を出力するためのコントローラーを含む。
【００１１】
一実施例において、前記気象ステーションはさらに、
前記コントローラーと接続されているスピーカーを含み、
前記コントローラーはさらに、前記カメラで収集した画像に基づいて前記雨量蓋上に動物が存在すると確認した時に、追い払う音声信号を発するように前記スピーカーを制御する。
【００１２】
一実施例において、前記雨量センサーは圧電センサーであり、前記圧電センサーは複数あり、複数の前記圧電センサーは前記雨量蓋の内壁にくっつくように取り付けられてかつその周方向に均一に分布している。
【００１３】
一実施例において、前記気象ステーションはさらに複数の風速風向センサーを含み、前記気象ステーション本体から複数の柱体が伸びるように設置されており、複数の前記風速風向センサーは一対一で複数の前記柱体内に取り付けられており、
前記風速風向センサーは風速信号と風向信号を検知するためのものである。
【００１４】
一実施例において、前記風速風向センサーは超音波風向風速計である。
【００１５】
本考案の技術案において、当該気象ステーションは気象ステーション本体及び雨量蓋を含み、気象ステーション本体の最上部にはカメラと雨量センサーが設置されており、雨量蓋は気象ステーション本体の最上部に蓋をするように設置されて、且つカメラと雨量センサーを収容し、雨量蓋の最上部のカメラに対応する位置に透視部が設置されて、光線が雨量蓋の透視部を通してカメラの入光側に入射できるようにして、カメラで雲層位置情報を捉える機能を実現した。本考案の気象ステーションによれば、雨量検知及び雲層位置検知を実現すると同時に、気象ステーションの全体としての一致性を向上させて、製品の体積を小さくした。
【図面の簡単な説明】
【００１６】
本考案の実施例及び従来技術の技術案をより明確に説明するため、以下では、実施例或いは従来技術の説明に必要とされる添付図面を簡単に紹介する。下記説明における添付図面は本考案の一部の実施例に過ぎないことは明らかであって、当業者にとって、創造的な労働を行わないことを前提に、これらの添付図面に示す構造に基づいて他の添付図面を得ることができる。
【図１】本考案の気象ステーションの一実施例の構造模式図である。
【図２】本考案の気象ステーションの一実施例の断面図である。
【図３】本考案の気象ステーションの一実施例の制御システム図である。
【考案を実施するための形態】
【００１７】
添付図面を参照して、実施例と組み合わせて本考案の目的の実現、機能特徴及び長所をさらに説明する。
以下では、本考案の実施例における添付図面と組み合わせ、本考案の実施例における技術案を明確且つ完全に説明する。説明される実施例は本考案の全ての実施例ではなく、本考案の一部の実施例に過ぎないことは、明らかである。本考案における実施例に基づいて、当業者が創造的な労働を行わないことを前提に得られた全ての他の実施例は、本考案の保護する範囲に属す。
【００１８】
もし本考案の実施例において方向性指示（例えば上、下、左、右、前、後．．．）に関わる場合、当該方向性指示はある特定の姿勢（添付図面に示す）における各部品間の相対的位置関係、運動状況等を説明するためだけに用いられ、仮に当該特定の姿勢が変わる場合、当該方向性指示もそれ相当に変わることは、説明しておく必要がある。
【００１９】
また、本考案の実施例において「第一」、「第二」等に関わる説明がある場合、当該「第一」、「第二」等の説明は、説明のためにだけ利用されるのであって、その相対的重要性を提示又は暗示する、或いは提示される技術的特徴の数を暗示的に指定するように理解すべきではないことは、説明しておく必要がある。これにより、「第一」、「第二」に限定された特徴は明示的或いは暗示的に少なくとも一つの当該特徴を含んでもよい。また、全文において現れた「及び／又は」は三つの並行する案を含むことを意味する。「Ａ及び／又はＢ」を例に取ると、Ａ案、或いはＢ案、或いはＡとＢとが同時に満たされる案を含むことになる。また、各実施例の技術案は互いに組み合わせることができる。ただし、当業者が実現できることはその基礎である。技術案の組み合わせに矛盾が生じるか、実現できない場合には、このような技術案の組み合わせが存在せず、且つ本考案が保護を求めようとする範囲にないと理解すべきである。
【００２０】
現代の農業などでは、生産活動を行う場合、地元の気象情報データを組み合わせなければ、科学的に、安全に、効率よく展開することが不可能である。なお、人々の生活や旅行にとっても、地元の気象データを知る必要がある。このため、科学技術レベルの絶え間ない向上に伴い、温度、湿度、風速、風向、雨量、気圧、光合成放射、蒸発、土壌温度、土壌湿度などのいろいろな気象パラメータをリアルタイムにモニタリングできる様々な気象ステーションが機運に乗じて現れて、気象モニタリングは人々の生活と生産に極めて重要な役割を果たしている。
【００２１】
一つの例示的技術において、気象ステーションの空中の雲層位置を観測するカメラは気象ステーションの本体と独立して設置されており、全体としての一致性が比較的悪く、気象ステーション全体の体積が比較的大きい。
【００２２】
気象ステーションの全体としての一致性を向上させて、製品の体積を小さくするために、本考案は気象ステーション、特に雨量検知及び雲層位置観測の機能を有する気象ステーションを提案するが、さらに他の機能を兼備することもでき、ここでは限定しない。
【００２３】
図１と図２を参照し、本考案の一実施例において、当該気象ステーションは気象ステーション本体１００及び雨量蓋２００を含み、気象ステーション本体１００の最上部にはカメラ１１０と雨量センサー１２０が設置されており、雨量蓋２００は気象ステーション本体１００の最上部に蓋をするように設置されて、且つカメラ１１０と雨量センサー１２０を収容し、雨量蓋２００の最上部にはカメラ１１０の位置に対応して透視部２０１が設けられている。
【００２４】
気象ステーション本体１００は複数のケースを組み合わせることで構成されてもよく、気象ステーション本体１００は円柱形、方形などとすることが可能で、ここでは限定しない。
【００２５】
雨量蓋２００は円形又は方形などの板状構造としてもよく、その表面は、雨量検知の範囲をできるだけ大きくして、雨量センサー１２０の検知正確性を向上させるように、円弧状に構成されてもよい。雨量蓋２００の本体と透視部２０１とは別体構造としてもよく、雨量蓋２００の本体はプラスチック材質としてもよく、その透視部２０１はガラスなどの透視効果の比較的良い材質としてもよい。もちろん、いくつかの実施例において、雨量蓋２００は一体式構造としてもよく、雨量蓋２００本体は光透過材料で作ってもよく、且つマスキングスプレーの方法で透視部２０１を作り出す（すなわち、雨量蓋２００の透視部２０１以外の箇所にすべて濃い色の材料を塗布する）。ここでは、雨量蓋２００の本体及びその透視部２０１の材質についてはいずれも限定しない。
【００２６】
雨量センサー１２０は圧電式センサーなどとしてもよく、ここでは限定しないことは、説明しておく必要がある。雨が降る時、圧電センサーは、雨の水滴が雨量蓋２００上に落ちる時の圧力／音波パルスを検知して、且つ圧力信号を電気信号に変換して、さらには電気信号に対するデータ処理解析により雨量情報を得る。
【００２７】
生産や組立時に、先ずは複数の雨量センサー１２０をねじ接続、係接又は接着などの方法により雨量蓋２００の内壁にくっつくように取り付けて、且つカメラ１１０をねじ接続、係接又は接着などの方法により気象ステーション本体１００の取付溝１１０ａ内に取り付けて固定して、雲層画像の撮影を便利にするように、レンズ組立体を透視部２０１に合わせて、最後に、組み立てられた雨量蓋２００をねじ接続、係接又は接着などの方法により気象ステーション本体１００の取付溝１００ａの溝口に蓋をするように設置されて、当該気象ステーションの組立を完成させる。
【００２８】
本考案によれば、当該気象ステーションの気象ステーション本体１００の最上部にカメラ１１０と雨量センサー１２０を設置し、雨量蓋２００を気象ステーション本体１００の最上部に蓋をするように設置して且つカメラ１１０と雨量センサー１２０を収容して、雨量蓋２００の最上部にカメラ１１０に対応する位置に透視部２０１を設置することで、光線が雨量蓋２００の透視部２０１を通してカメラ１１０の入光側に入射できるようにして、カメラ１１０で雲層位置情報を捉える機能を実現したことは、理解できるであろう。本考案の気象ステーションによれば、雨量検知及び雲層位置検知を実現すると同時に、気象ステーションの全体としての一致性を向上させて、製品の体積を小さくした。
【００２９】
カメラ１１０によって雲層画像情報を撮影する解像度を向上させて、雲層観測の正確性を向上させるために、一実施例において、図１と図２を参照し、雨量蓋２００の最上部のカメラ１１０に対応する位置には透視窓が設けられて、透視部２０１は透視窓に閉じるように蓋をするガラス板である。
【００３０】
ガラス板の透視効果が比較的よく、光学ガラス透明度が高く、純粋、無色、質が均一だという特徴を有し、且つ良好な光屈折能力を有するので、ガラスはレンズの主な生産原料になっている。化学成分及び屈折率の違いによって、光学ガラスを三つの種類：フリントガラス、クラウンガラス及びランタンクラウンガラス、フリントガラスはガラスの成分に酸化鉛を入れることで屈折率（１．８８０４）を増やし、クラウンガラスはガラスの成分に酸化ナトリウムと酸化カルシウムを入れて製造することでその屈折率（バリウムクラウンガラスの屈折率は１．７０５５である）を下げて、ランタンクラウンガラスは屈折率が高く、分散率が低いなどの優良な特性を持ち、大口径の高級レンズの製造に条件を作り出した。
【００３１】
もちろん、いくつかの他の実施例において、透視効果が比較的良いプラスチック材質のレンズを雨量蓋２００の透視部２０１として利用してもよく、ここではその材質について限定しない。
【００３２】
上記実施例に基づいて、一つの実施例において、ガラス板と雨量蓋２００とはシールにより密封接続できる。このように構成することで、気象ステーション本体１００の防水密封性を強化して、雨が気象ステーション本体内に滲入することでその内部電気回路がショートを起こして気象モニタリング機能の失効を引き起こす問題を避けて、部品の使用寿命を伸ばすことができる。
【００３３】
さらに、本実施例におけるシールはＵＶゲル又はプラスチックリングなどとしてもよい。
【００３４】
生産や組立時に、先ずは雨量蓋２００の中部の透視窓内にＵＶゲルを塗布するか、或いはプラスチックリングを一回り貼り付けて、そしてガラス板を透視窓内に装着することで、ガラス板と雨量蓋２００との密封接続を実現することが可能である。
【００３５】
光線が雨量蓋２００の他の位置から気象ステーション本体１００内に照射することでカメラ１１０と他の素子に影響してしまうのを避けるために、一実施例において、雨量蓋２００上の透視部２０１以外の位置には光反射コーティングが塗布されてもよく、光反射コーティングの材質はインクとしてもよい。
【００３６】
いくつかの実施例において、図３を参照し、気象ステーションはさらにコントローラー３００を含んでもよく、コントローラー３００はカメラ１１０と接続されて且つカメラ１１０で収集した画像に基づいて雲の位置を表す検知電気信号を出力するためのものである。
【００３７】
気象ステーションは、通常の応用場面において、鳥類などの動物の存在により、鳥類などの物に気象ステーション本体１００の最上部を遮られてしまう状況が発生することがあり、しばしばカメラ１１０による雲層画像の撮影に影響してしまう。
【００３８】
それに対して、本実施例では、図３を参照し、気象ステーションはさらにスピーカー４００を含んでもよく、スピーカー４００はコントローラー３００と接続されており、コントローラー３００はさらに、カメラ１１０で収集した画像に基づいて雨量蓋２００上に動物が存在すると確認した時に、追い払う音声信号を発するようにスピーカー４００を制御することで、気象ステーションに休憩している鳥類などの動物を追い払って、気象ステーションの雲層位置観測機能の正常運転を保障する。
【００３９】
本実施例において、コントローラー３００はシングルチップマイコン、ＤＳＰ及びＦＰＧＡなどのマイクロプロセッサーとしてもよく、ここでは限定しない。
【００４０】
主に図２を参照し、いくつかの実施例において、雨量センサー１２０は圧電センサーとしてもよく、圧電センサーの数は複数で、複数の圧電センサーは雨量蓋２００の内壁にくっつくように取り付けられている。本実施例において、複数の圧電センサーは雨量蓋２００に沿って周方向に均一に分布してもよい。このように構成することで、雨量センサー１２０の検知範囲を大きくして、さらには雨量検知の正確度を向上させた。
【００４１】
また、風速と風向に対するモニタリングを実現するために、いくつかの他の実施例において、主に図１と図２を参照し、気象ステーションはさらに複数の風速風向センサー５００を含んでもよく、気象ステーション本体１００から複数の柱体１３０が伸びるように設置されており、複数の風速風向センサー５００は一対一で複数の柱体１３０内に取り付けられており、風速風向センサー５００は風速信号と風向信号を検知するためのものである。
【００４２】
風速風向センサー５００は超音波風向風速計としてもよいことは、説明しておく必要がある。
【００４３】
超音波風速風向計の作動原理は、超音波時間差方法を利用して風速と風向の測定を実現することである。音の空気における伝搬スピードは風向における気流のスピードとが重ね合わせられるので、超音波の伝搬方向が風向と同じであれば、そのスピードは早くなり、逆に、超音波の伝搬方向が風向と逆であれば、そのスピードは遅くなる。したがって、一定な検知条件において、超音波の空気中で伝搬するスピードは風速と関数的に対応でき、計算により精確な風速と風向を得ることができる。超音波風速計は、軽量、丈夫で長持ちなどの特徴があり、且つメンテナンスと現地較正を必要とせず、風速と風向を同時に出力できる。
【００４４】
以上に述べたことは本考案の好ましい実施例に過ぎず、それによって本考案の実用新案の範囲を制限するわけではない。本考案の考案構想の下で、本考案の明細書及び添付図面の内容を利用して行った等価構造変換、或いは他の関連する技術分野への直接／間接的な応用は、何れも本考案の実用新案の保護範囲に含まれる。
【符号の説明】
【００４５】
１００  気象ステーション本体、
１１０  カメラ、
２００  雨量蓋、
１２０  雨量センサー、
３００  コントローラー、
２０１  透視部、
４００  スピーカー、
１３０  柱体、
５００  風速風向センサー、
１００ａ  取付溝。
【図１】
0003232884.tif 000003
【図２】
0003232884.tif 000004
【図３】
0003232884.tif 000005